(57)【要約】      （修正有）【課題】外部端子を固定するリベットによって締結した場合でも、絶縁シートの変形を生じさせない電解コンデンサ用封口体を提供する。【解決手段】封口体１に、リベット４を用いて、外部端子２とダミー端子３を固定する。封口体１の内面に、ダミー端子３を被覆する絶縁シート４を配置する。絶縁シート５の外部端子２に対向する部分に、外部端子２を固定するリベット４の挿通孔を形成する。前記孔の径はリベット４の頭部より大きく設定する。この孔の内側に、リベットの頭部に係合する線状体が、リベットの軸を避けて孔の縁から縁を結ぶように成形する。絶縁シート５は、封口体表面から突出したダミー端子３の一部を挿入する凹部を有する。線状体は、リベット４の軸を挟んで、複数本形成することができる。【選択図】図２
0003171061.tif 000002
【実用新案登録請求の範囲】
【請求項１】
次の構成を有することを特徴とする電解コンデンサ用封口体。
（１）封口体に、リベットを用いて、外部端子とダミー端子を固定する。
（２）封口体の内面に、ダミー端子を被覆する絶縁シートを配置する。
（３）絶縁シートの外部端子部分に、外部端子を固定するリベットの挿通孔を形成する。
（４）前記孔の径はリベットの頭部より大きく設定され、この孔の内側には、リベットの頭部に係合する線状体が、リベットの軸を避けて孔の縁から縁を結ぶように成形されている。
【請求項２】
前記絶縁シートは、封口体表面から突出したダミー端子の一部を収納する凹部を有することを特徴とする請求項１に記載の電解コンデンサ用封口体。
【請求項３】
前記線状体は、リベットの軸を挟んで、複数本形成されていることを特徴とする請求項１または請求項２に記載の電解コンデンサ用封口体。
【請求項４】
前記線状体が、その一部に板状部を一体に形成したものであって、この板状部にリベットの軸を挿入する開口部を有することを特徴とする請求項１から請求項３のいずれか１項に記載の電解コンデンサ用封口体。
【請求項５】
請求項１から請求項４のいずれか１項に記載の封口体と、
コンデンサ素子が収容され、前記封口体によって封止されるケースと、を備えていることを特徴とする電解コンデンサ。
【考案の詳細な説明】
【技術分野】
【０００１】
本考案は、電解コンデンサを基板に半田付けするためにダミー端子が挿通された封口体であって、そのダミー端子をコンデンサ素子に対して絶縁する絶縁シートを備えた電解コンデンサ用封口体に関するものである。
【背景技術】
【０００２】
電解コンデンサは、電解液を含浸したコンデンサ素子を、有底円筒状のアルミケースに収容し、このアルミケースの開口部を電極を設けた封口体によって封止することにより構成される。
【０００３】
このような電解コンデンサを回路基板に固定する場合、封口体に設けた外部端子を回路基板に半田付けしている。この場合、大型のコンデンサでは、コンデンサ本体の重さや体積が大きいことから、外部端子のみを半田付けしただけでは、基板への固定強度が不足する。
【０００４】
そこで、回路基板への実装時の安定性と半田付け強度を高めるため、従来では、特許文献１から特許文献３に記載されるように、封口体にもっぱら半田付けだけのためのダミー端子を設けている。
【０００５】
このダミー端子は、外部端子同様にリベットで封口体に固定されるが、コンデンサ素子にダミー端子が接触しないように、両者の間に絶縁シートを配置している。
【先行技術文献】
【特許文献】
【０００６】
【特許文献１】特開２００３-１９７４７０号公報
【特許文献２】特開２００６−２６１５８８号公報
【特許文献３】特開平１１−３５４３８２号公報
【考案の概要】
【考案が解決しようとする課題】
【０００７】
この絶縁シートは、糊付けなどの手段により封口体に支持させることができる。しかし、製造工程を簡便にする目的から、図４に示すように、封口体１に外部端子２とダミー端子３をリベット４で固定すると同時に、外部端子２を固定するリベット４で絶縁シート５も封口体１に固定する手段が採用されている。
【０００８】
しかし、外部端子２と絶縁シート５をリベット４で同時に締結すると、リベット４の頭部により絶縁シート５が強く押し下げられるため、絶縁シート５が反り返って、その周縁が封口体１の表面から浮き上がる。このような状態では、封口体１をコンデンサのケースに収める際に、ケースの開口部に絶縁シート５の浮き上がり部分が引っ掛かって、組立工程での作業効率が低下する。
【０００９】
また、絶縁シート５をリベット４で締結する前工程として、絶縁シート５の周縁を封口体１の表面に接合しておくこともできるが、製造工程が増えてしまう。
【００１０】
本考案は、上記のような従来技術の問題点を解決するために提案されたものである。本考案の目的は、リベットによって外部端子と絶縁シートを共締めした場合に、絶縁シートの周縁が浮き上がることがない電解コンデンサ用封口体を提供することにある。
【課題を解決するための手段】
【００１１】
上記の目的を達成するため、本考案の電解コンデンサ用封口体は、次のような特徴を有する。
（１）封口体に、リベットを用いて、外部端子とダミー端子を固定する。
（２）封口体の内面に、ダミー端子を被覆する絶縁シートを配置する。
（３）絶縁シートの外部端子部分に、外部端子を固定するリベットの挿通孔を形成する。
（４）前記孔の径はリベットの頭部より大きく設定され、この孔の内側には、リベットの頭部に係合する線状体が、リベットの軸を避けて孔の縁から縁を結ぶように成形されている。
【００１２】
また、本発明は、以下の態様も包含する。
（ａ）前記絶縁シートは、封口体表面から突出したダミー端子のリベットの頭部を収納する凹部を有する。
（ｂ）前記線状体は、リベットの軸を挟んで、複数本形成されている。この場合、複数本の線状体が、平行、三角形、井桁などの形状に形成される。
（ｃ）前記線状体が、その一部に板状部を一体に形成したものであって、この板状部にリベットの軸を挿入する開口部を有する。
【００１３】
（ｄ）上記の特徴を有する封口体を備えた電解コンデンサ。
【考案の効果】
【００１４】
本考案によれば、リベットの頭部は、絶縁シートの線状体のみを加締めることになるので、絶縁シート全体に大きな力が加わることがない。その結果、リベットによって外部端子と絶縁シートを共締めしたにもかかわらず、絶縁シートの周囲が浮き上がることがない電解コンデンサ用封口体をより少ない工程で作製することができる。
【考案を実施するための形態】
【００１５】
次に、本考案を実施するための形態を、図１乃至図４参照して説明する。なお、図４に示す従来技術と同一の部分については、同一の符号を付し、説明は省略する。
１．第１の実施形態
（１）構成
本考案の第１の実施形態に係る電解コンデンサ用封口体１（以下「封口体１」という。）は、図1に示すような形状の絶縁シート５が使用される。この絶縁シート５は、封口体１より一回り小さい径を有する樹脂のシートで作成される。この絶縁シート５の素材としては、ポリプロピレンが用いられるが、その他の樹脂でも構わない。
【００１６】
この絶縁シート５には、絶縁シートを封口体に固定する場合に、外部端子の固定するリベット４の軸を挿入する孔５１が設けられている。
【００１７】
この孔５１の径はリベット４の頭部より一回り大きく設定されている。この孔５１の内側には、リベットの頭部に係合する線状体５２が、リベットの軸を避けて孔５１の縁から縁を結ぶように成形されている。本実施形態では、この線状体５２は、リベットの軸を取り囲むように三角形に３本設けられている。
【００１８】
この線状体５２は、絶縁シート５と一体に樹脂成形したり、あるいは、樹脂成形後の絶縁シート５を打ち抜き加工することによって形成されるが、その方法はこれに限定されない。
【００１９】
絶縁シート５におけるダミー端子３に対向する部分には、凹部５３を有する。この凹部５３は、封口体１の表面から突出しているダミー端子固定用のリベット４の頭部を収納することのできる深さと径を有する円形をしている。この凹部５３は、ダミー端子３の数に対応し、単数から複数個形成されるが、図では２個設けられている。
【００２０】
（２）作用
本実施形態は、上記のような絶縁シート５をリベット４によって、封口体１におけるコンデンサ素子側の表面に固定したものである。その場合、外部端子２のリベット４を絶縁シート５の孔５１内に挿入し、外部端子２と絶縁シート５とを共締めする。すると、リベット４の頭部が絶縁シート５の孔５１の縁に接触することなく、線状体５２のみを押さえ付ける。
【００２１】
その際、線状体５２は絶縁シート５の本体部分を形成している板状の部分に比較して細くて変形しやすいため、リベット４の加締め力が線状体５２に加わると、線状体５２のみが変形し、加締め力が板状の部分に伝わることがない。その結果、リベット４で絶縁シート５と外部端子２を共締めしても、絶縁シート５の縁が封口体１の表面から浮き上がることがない。
【００２２】
また、本実施形態の封口体１では、絶縁シート５に凹部５３が形成されている。そのため、絶縁シート５を封口体１に重ね合わせた場合に、封口体の表面から突出しているダミー端子のリベット４の頭部を、この凹部５３内に収納することができる。その結果、ダミー端子のリベット４の頭部が突出していても、絶縁シート５を封口体１の表面に密着させることができる。
【００２３】
（３）効果
本実施形態によれば、絶縁シート５を変形させることなく、外部端子２のリベット４を利用して封口体１に密着させることができる。これにより、電解コンデンサの組立工程において、絶縁シート５がケースに引っかかる等の問題が低減でき、作業効率を向上できる。また、絶縁シートと封口体とを予め接着などの手段で一体化しておく必要もなく、リベット４により外部端子２と共締めできるので、製造工程が従来技術に比較して、複雑化することもない。
【００２４】
他の実施形態
本考案は、前記の実施形態に限定されるものではなく、次のような実施形態も包含する。
【００２５】
（１）図３（ａ）に示すように、線状体５２を井形に形成する。すなわち、線状体５２は外部端子を固定するリベットにより押さえつけられることが目的であるため、樹脂線の数、ループの形状は適宜変更可能である。２本の線状体をリベットの軸を挟んで、平行に形成することもできる。
【００２６】
（２）図３（ｂ）に示すように、線状体５２の一部に、板状部５２ａを一体に形成し、この板状部５２ａにリベットの軸を挿入する開口部５２ｂを設ける。この場合も、リベットの頭部が、板状部５２ａを押さえても、その力は線状体５２で吸収され、絶縁シート５を変形させることがない。
（３）前記の実施形態は、本明細書において一例として提示したものであって、考案の範囲を限定することを意図するものではない。すなわち、その他の様々な形態で実施されることが可能であり、考案の範囲を逸脱しない範囲で、種々の省略や置き換え、変更を行うことが可能である。これらの実施形態やその変形例は、考案の範囲や要旨に含まれると同様に、実用新案登録請求の範囲に記載された考案とその均等の範囲に含まれるものである。
【図面の簡単な説明】
【００２７】
【図１】本考案の第１の実施形態における絶縁シートを表す斜視図と平面図。
【図２】本考案の第１の実施形態における封口体を表す斜視図。
【図３】本考案の他の実施形態における封口体の絶縁シートを表す平面図で、（ａ）は井桁状の線状体、（ｂ）は板状部を有する線状体を示す。
【図４】従来の封口体の構成を示す斜視図。
【符号の説明】
【００２８】
１…封口体
２…外部端子
３…ダミー端子
４…リベット
５…絶縁シート
５１…孔
５２…線状体
５３…凹部
５２ａ…板状部
５２ｂ…開口部
【図１】
0003171061.tif 000003
【図２】
0003171061.tif 000004
【図３】
0003171061.tif 000005
【図４】
0003171061.tif 000006